(57)【要約】【課題】防水シールの過度な変形を抑制し、防水状態を維持し続けることができるコネクタを提供する。【解決手段】  コネクタ１は、筒状に形成されたハウジング１０と、ハウジング１０の内部に配置された端子保持体１１と、ハウジング１０の内部に配置され、ハウジング１０の内周面に密着する防水シール１２と、ハウジング１０に固定され、防水シール１２を押さえるキャップ１３と、を備え、防水シール１２は、ケーブルを貫通させるシール側貫通穴４１Ａと、シール側貫通穴４１Ａと平行に形成された突起用貫通穴４３と、を有し、キャップ１３は、シール側貫通穴４１Ａに対応する位置にてケーブルを貫通させるキャップ側貫通穴５５Ａを有し、キャップ１３は、防水シール１２との対向面から端子保持体１１に向かって突設され、突起用貫通穴４３を貫通して端子保持体１１に当接する突起部５７を有している。【選択図】図１４
2020149870.tif 000002
【特許請求の範囲】
【請求項１】
筒状に形成されたハウジングと、
ケーブルの軸方向先端部に固定された端子を保持し、前記ハウジングの内部に配置された端子保持体と、
前記端子保持体の軸方向基端部に対向するように前記ハウジングの内部に配置され、前記ハウジングの内周面に密着する防水シールと、
前記防水シールの軸方向基端部に対向するように前記ハウジングに固定され、前記防水シールを押さえるキャップと、を備え、
前記防水シールは、
前記ケーブルを貫通させるシール側貫通穴と、
前記シール側貫通穴と平行に形成された突起用貫通穴と、を有し、
前記キャップは、前記シール側貫通穴に対応する位置にて前記ケーブルを貫通させるキャップ側貫通穴を有し、
前記端子保持体と前記キャップの何れか一方は、前記防水シールとの対向面から前記端子保持体と前記キャップの何れか他方に向かって突設され、前記突起用貫通穴を貫通して前記端子保持体と前記キャップの何れか他方に当接する突起部を有していることを特徴とするコネクタ。
【請求項２】
前記端子保持体には、前記端子を嵌合させる端子嵌合溝が、軸方向に直交する径方向外側から内側に向かって凹設されたことを特徴とする請求項１に記載のコネクタ。
【請求項３】
前記端子は、複数の前記ケーブルに対応して複数設けられ、
前記端子保持体は、複数の前記端子に対応して複数の前記端子嵌合溝を有していることを特徴とする請求項２に記載のコネクタ。
【請求項４】
前記端子保持体と前記キャップの何れか他方には、突起嵌合凹部が凹設され、
前記突起部は、
前記端子保持体と前記キャップの何れか一方に突設された突起本体と、
前記突起本体よりも小さな断面を有し、前記突起本体の先端部に当接面を介して連設された嵌合先端部と、を有し、
前記突起本体の前記当接面は前記突起嵌合凹部の外縁部に当接し、前記嵌合先端部は前記突起嵌合凹部に嵌合することを特徴とする請求項１ないし３のいずれかに記載のコネクタ。
【請求項５】
前記防水シールは、軸方向先端部と基端部の何れか一方のみに開口した姿勢決め穴を有し、
前記端子保持体と前記キャップの何れか一方は、前記防水シールとの対向面から前記端子保持体と前記キャップの何れか他方に向かって突設され、前記姿勢決め穴に挿入される姿勢決め突起部を有していることを特徴とする請求項１ないし４のいずれかに記載のコネクタ。
【請求項６】
前記キャップ側貫通穴の内周面には、複数の接触凸部が周方向に間隔をあけた位置において径方向中心に向かって突設され、
複数の前記接触凸部の先端部は、前記キャップ側貫通穴に配置された前記ケーブルの外周面に接触することを特徴とする請求項１ないし５のいずれかに記載のコネクタ。
【請求項７】
前記ハウジングの内周面には、前記ハウジングの内部に前記端子保持体を配置した状態において、前記端子保持体の外面に押し付けられる内側押圧凸部が突設され、
前記端子保持体の外面には、前記ハウジングの内部に前記端子保持体を配置した状態において、前記ハウジングの内周面に押し付けられる外側押圧凸部が突設されたことを特徴とする請求項１ないし６のいずれかに記載のコネクタ。
【請求項８】
前記ハウジングの軸方向基端側の外周面には、複数の係止部が形成され、
前記キャップには、前記ハウジングの軸方向基端部を覆った状態で複数の前記係止部を係止させる複数の被係止部が形成され、
前記キャップの前記被係止部よりも軸方向基端側には、前記係止部が前記被係止部に係止した状態で、前記ハウジングの軸方向基端側を露出させるロック確認窓が開口したことを特徴とする請求項１ないし７のいずれかに記載のコネクタ。
【請求項９】
ケーブルの軸方向先端部に固定された端子を保持した端子保持体を収容するハウジングと、前記ハウジングの内周面に密着する防水シールと、前記防水シールを押さえるキャップと、を備えたコネクタの組立方法であって、
前記ケーブルを前記防水シールに形成されたシール側貫通穴と前記キャップに形成されたキャップ側貫通穴とに貫通させる第１工程と、
前記防水シールから延びた前記ケーブルの軸方向先端部に前記端子を固定し、前記端子を前記端子保持体に保持させる第２工程と、
前記端子を保持した前記端子保持体を前記ハウジングの内部に挿入する第３工程と、
前記キャップを前記防水シールと共に軸方向基端から先端に向かって移動させ、前記防水シールを前記端子保持体の軸方向基端部に対向するように前記ハウジングの内部に配置し、前記端子保持体と前記キャップの何れか一方から前記端子保持体と前記キャップの何れか他方に向かって延びて前記防水シールに形成された突起用貫通穴を貫通した突起部を、前記端子保持体と前記キャップの何れか他方に当接させ、前記キャップを前記防水シールの軸方向基端部に対向するように前記ハウジングに固定する第４工程と、を備えたことを特徴とするコネクタの組立方法。
【請求項１０】
前記第２工程において、前記端子保持体の軸方向に直交する径方向外側から内側に向かって凹設された端子嵌合溝に対して前記端子を径方向外側から嵌め込むことで、前記端子を前記端子保持体に保持させることを特徴とする請求項９に記載のコネクタの組立方法。
【発明の詳細な説明】
【技術分野】
【０００１】
本発明は、防水機能を有するコネクタおよびコネクタの組立方法に関する。
【背景技術】
【０００２】
例えば、特許文献１には、ゴム栓の電線挿通穴に電線を挿通し、電線の端末に取り付けられた端子をハウジング内に挿入すると共に、ゴム栓の外周をハウジング後端の内壁面に密着させた防水コネクタが開示されている。ハウジングの奥側には小径の圧縮領域が形成され、ハウジングの入口側には大径の仮保持領域が形成されている。ハウジングの後端部にはカバー体が外嵌され、カバー体の内面にはゴム栓の後端面に対向する押圧部が突設されている。ゴム栓が仮保持領域にある状態で、カバー体が押されてハウジングに外嵌すると、ゴム栓は押圧部によって押されて仮保持領域から圧縮領域へ移動する。
【先行技術文献】
【特許文献】
【０００３】
【特許文献１】特開平１１−３２９５６７号公報
【発明の概要】
【発明が解決しようとする課題】
【０００４】
例えば、電線（ケーブル）に引抜く力が作用した場合、上記したコネクタでは、当該引抜く力の大部分がハウジングや端子を介してゴム栓に伝達されることになる。すると、ゴム栓が大きく変形するため、ハウジングの内壁面との間に隙間ができてしまい、防水状態を維持することができない場合があった。
【０００５】
本発明は、上記した課題を解決するために、防水シールの過度な変形を抑制し、防水状態を維持し続けることができるコネクタおよびコネクタの組立方法を提供する。
【課題を解決するための手段】
【０００６】
上記課題を解決するために、本発明の第１のコネクタは、筒状に形成されたハウジングと、ケーブルの軸方向先端部に固定された端子を保持し、前記ハウジングの内部に配置された端子保持体と、前記端子保持体の軸方向基端部に対向するように前記ハウジングの内部に配置され、前記ハウジングの内周面に密着する防水シールと、前記防水シールの軸方向基端部に対向するように前記ハウジングに固定され、前記防水シールを押さえるキャップと、を備え、前記防水シールは、前記ケーブルを貫通させるシール側貫通穴と、前記シール側貫通穴と平行に形成された突起用貫通穴と、を有し、前記キャップは、前記シール側貫通穴に対応する位置にて前記ケーブルを貫通させるキャップ側貫通穴を有し、前記端子保持体と前記キャップの何れか一方は、前記防水シールとの対向面から前記端子保持体と前記キャップの何れか他方に向かって突設され、前記突起用貫通穴を貫通して前記端子保持体と前記キャップの何れか他方に当接する突起部を有している。
【０００７】
本発明の第１のコネクタでは、キャップ（端子保持体）から延びた突起部が、防水シールを貫通して端子保持体（キャップ）に当接する構成とした。この構成によれば、例えば、ケーブルを引抜く力を、端子保持体から突起部に伝え、突起部を介してキャップに伝えることができる。これにより、防水シールに伝達される力が少なくなる（または無くなる）ため、防水シールの過度な変形を抑制することができる。その結果、防水シールによる防水状態を適切に維持し続けることができる。なお、突起部を介してキャップに伝わった力は、キャップが固定されたハウジングに伝わる。
【０００８】
本発明の第２のコネクタは、上記した第１のコネクタにおいて、前記端子保持体には、前記端子を嵌合させる端子嵌合溝が、軸方向に直交する径方向外側から内側に向かって凹設されたことが好ましい。
【０００９】
本発明の第２のコネクタによれば、端子を径方向外側から端子嵌合溝に嵌め込むことができる。このため、例えば、端子を軸方向に延びた穴に挿入する場合に比べて、簡単に端子を端子保持体に保持させることができる。
【００１０】
本発明の第３のコネクタは、上記した第２のコネクタにおいて、前記端子は、複数の前記ケーブルに対応して複数設けられ、前記端子保持体は、複数の前記端子に対応して複数の前記端子嵌合溝を有していることが好ましい。
【００１１】
仮に、端子保持体に複数の端子を挿入するための複数の穴が開いている場合について考える。この場合、複数の端子を同時に複数の穴に挿入することは非常に困難であるため、通常、作業者は、１つ１つ端子を穴に挿入することになる。１つのケーブルに固定された端子を１つの穴に挿入した状態で、他のケーブルに固定された端子を他の穴に挿入する場合、他の端子を他の穴の入口に向けるために、ケーブルを弛ませながら曲げなければならない。このため、全てのケーブルは、弛ませることを考慮して長めに確保しなければならない。すると、必要以上に長いケーブルに対応するように端子保持体等も軸方向に長くなり、コネクタの小型化が阻害されるという問題があった。この問題に対し、本発明の第３のコネクタによれば、ケーブルを弛ませることなく、複数の端子を径方向外側から複数の端子嵌合溝に嵌め込むことができる。これにより、ケーブルを必要最小限の長さに形成することができ、コネクタ１の小型化を図ることができる。
【００１２】
本発明の第４のコネクタは、上記した第１ないし第３のいずれかのコネクタにおいて、前記端子保持体と前記キャップの何れか他方には、突起嵌合凹部が凹設され、前記突起部は、前記端子保持体と前記キャップの何れか一方に突設された突起本体と、前記突起本体よりも小さな断面を有し、前記突起本体の先端部に当接面を介して連設された嵌合先端部と、を有し、前記突起本体の前記当接面は前記突起嵌合凹部の外縁部に当接し、前記嵌合先端部は前記突起嵌合凹部に嵌合することが好ましい。
【００１３】
本発明の第４のコネクタによれば、突起部の嵌合先端部が突起嵌合凹部に嵌合することで、キャップと端子保持体との位置決めを簡単に行うことができる。
【００１４】
本発明の第５のコネクタは、上記した第１ないし第４のいずれかのコネクタにおいて、前記防水シールは、軸方向先端部と基端部の何れか一方のみに開口した姿勢決め穴を有し、前記端子保持体と前記キャップの何れか一方は、前記防水シールとの対向面から前記端子保持体と前記キャップの何れか他方に向かって突設され、前記姿勢決め穴に挿入される姿勢決め突起部を有していることが好ましい。
【００１５】
本発明の第５のコネクタによれば、作業者は姿勢決め穴を姿勢決め突起部の側に向けることで、防水シールの向きを一義的に決定することができる。これにより、コネクタの組立時に防水シールの向きを間違えることを予防することができる。
【００１６】
本発明の第６のコネクタは、上記した第１ないし第５のいずれかのコネクタにおいて、前記キャップ側貫通穴の内周面には、複数の接触凸部が周方向に間隔をあけた位置において径方向中心に向かって突設され、複数の前記接触凸部の先端部は、前記キャップ側貫通穴に配置された前記ケーブルの外周面に接触することが好ましい。
【００１７】
本発明の第６のコネクタによれば、複数の接触凸部の先端部がケーブルの外周面に概ね点接触するため、キャップ側貫通穴の内周面全体がケーブルの外周面に接触する場合に比べて、キャップ側貫通穴にケーブルを容易に貫通させることができる。また、複数の接触凸部がケーブルの外周面に点接触しているため、キャップ側貫通穴から外部に延びたケーブルの曲げ（こじり）を抑制することができる。ケーブルがこじられることで、ケーブルとシール側貫通穴との間に隙間ができることを抑制することができる。
【００１８】
本発明の第７のコネクタは、上記した第１ないし第６のいずれかのコネクタにおいて、前記ハウジングの内周面には、前記ハウジングの内部に前記端子保持体を配置した状態において、前記端子保持体の外面に押し付けられる内側押圧凸部が突設され、前記端子保持体の外面には、前記ハウジングの内部に前記端子保持体を配置した状態において、前記ハウジングの内周面に押し付けられる外側押圧凸部が突設されたことが好ましい。
【００１９】
本発明の第７のコネクタによれば、端子保持体がハウジングの内部に配置された状態で、内側押圧凸部が端子保持体の外面に押し付けられ、外側押圧凸部がハウジングの内周面に押し付けられるため、ハウジングの内部での端子保持体のがたつきを抑えることができる。
【００２０】
本発明の第８のコネクタは、上記した第１ないし第７のいずれかのコネクタにおいて、前記ハウジングの軸方向基端側の外周面には、複数の係止部が形成され、前記キャップには、前記ハウジングの軸方向基端部を覆った状態で複数の前記係止部を係止させる複数の被係止部が形成され、前記キャップの前記被係止部よりも軸方向基端側には、前記係止部が前記被係止部に係止した状態で、前記ハウジングの軸方向基端側を露出させるロック確認窓が開口したことが好ましい。
【００２１】
本発明の第８のコネクタでは、係止部が被係止部に係止することで、キャップがハウジングにロックされていた。また、ロック状態で、ハウジングの軸方向基端側がロック確認窓に露出する構成とした。この構成によれば、作業者は、ロック確認窓に露出したハウジングを確認することで、キャップがハウジングに適正にロックされたことを確認することができる。これにより、キャップがハウジングにロックされていない状態を、ロック状態であると勘違いすることを未然に防ぐことができる。
【００２２】
上記課題を解決するために、本発明の第１のコネクタの組立方法は、ケーブルの軸方向先端部に固定された端子を保持した端子保持体を収容するハウジングと、前記ハウジングの内周面に密着する防水シールと、前記防水シールを押さえるキャップと、を備えたコネクタの組立方法であって、前記ケーブルを前記防水シールに形成されたシール側貫通穴と前記キャップに形成されたキャップ側貫通穴とに貫通させる第１工程と、前記防水シールから延びた前記ケーブルの軸方向先端部に前記端子を固定し、前記端子を前記端子保持体に保持させる第２工程と、前記端子を保持した前記端子保持体を前記ハウジングの内部に挿入する第３工程と、前記キャップを前記防水シールと共に軸方向基端から先端に向かって移動させ、前記防水シールを前記端子保持体の軸方向基端部に対向するように前記ハウジングの内部に配置し、前記端子保持体と前記キャップの何れか一方から前記端子保持体と前記キャップの何れか他方に向かって延びて前記防水シールに形成された突起用貫通穴を貫通した突起部を、前記端子保持体と前記キャップの何れか他方に当接させ、前記キャップを前記防水シールの軸方向基端部に対向するように前記ハウジングに固定する第４工程と、を備えた。
【００２３】
本発明の第１のコネクタの組立方法では、防水シールがキャップに押されてハウジングの内部に移動する構成とした。この構成によれば、キャップによって防水シールを均一且つ安定した姿勢で押し込むことができる。これにより、防水シールは、適切な姿勢でハウジングの内部に配置されてハウジングの内周面に密着するため、適正な防水性能を発揮することができる。また、キャップ（端子保持体）から延びた突起部が、防水シールを貫通して端子保持体（キャップ）に当接するため、例えば、ケーブルを引抜く力をキャップに伝えることができる。これにより、防水シールの過度な変形を抑制し、防水シールによる防水状態を適切に維持し続けることができる。
【００２４】
本発明の第２のコネクタの組立方法は、上記した第１のコネクタの組立方法において、前記第２工程において、前記端子保持体の軸方向に直交する径方向外側から内側に向かって凹設された端子嵌合溝に対して前記端子を径方向外側から嵌め込むことで、前記端子を前記端子保持体に保持させることが好ましい。
【００２５】
本発明の第２のコネクタの組立方法によれば、端子を径方向外側から端子嵌合溝に嵌め込むことができるため、端子を軸方向に延びた穴に挿入する場合に比べて、簡単に端子を端子保持体に保持させることができる。
【発明の効果】
【００２６】
本発明によれば、防水シールの過度な変形を抑制し、防水状態を維持し続けることができる。
【図面の簡単な説明】
【００２７】
【図１】本発明の一実施形態に係るコネクタおよび相手側端子を示す斜視図である。
【図２】本発明の一実施形態に係るコネクタを示す分解斜視図である。
【図３】本発明の一実施形態に係るコネクタのハウジングを示す背面図である。
【図４】図３のＩＶ−ＩＶ断面図である。
【図５】本発明の一実施形態に係るコネクタの端子保持体を示す斜視図である。
【図６】本発明の一実施形態に係るコネクタの防水シールを示す斜視図である。
【図７】本発明の一実施形態に係るコネクタのキャップを示す斜視図である。
【図８】本発明の一実施形態に係るコネクタのキャップを示す正面図である。
【図９】図８のＩＸ−ＩＸ断面図である。
【図１０】本発明の一実施形態に係るコネクタの組立方法の第１工程を説明する斜視図である。
【図１１】本発明の一実施形態に係るコネクタの組立方法の第２工程を説明する斜視図である。
【図１２】本発明の一実施形態に係るコネクタの組立方法の第３工程を説明する斜視図である。
【図１３】本発明の一実施形態に係るコネクタを示す側面図である。
【図１４】図１３のＸＩＶ−ＸＩＶ断面図である。
【発明を実施するための形態】
【００２８】
以下、添付の図面を参照しつつ、本発明の実施形態について説明する。なお、各図に示す「Ｘ１」は「左」を示し、「Ｘ２」は「右」を示し、「Ｙ１」は「前」を示し、「Ｙ２」は「後」を示し、「Ｚ１」は「上」を示し、「Ｚ２」は「下」を示している。また、前後方向が「軸方向」の一例である。本明細書では方向や位置を示す用語を用いるが、それらの用語は説明の便宜のために用いるものであって、本発明の技術的範囲を限定するものではない。
【００２９】
［コネクタの概要］
図１を参照して、コネクタ１の概要について説明する。図１はコネクタ１および相手側コネクタ１００を示す斜視図である。
【００３０】
コネクタ１は、概ね円筒状の外形を成している。コネクタ１は、例えば、４本のケーブル２Ａ，２Ｂを介して図外の装置に電気的に接続されている。コネクタ１には、４本のケーブル２Ａ，２Ｂに対応して４つの端子３Ａ，３Ｂ（図２参照）が周方向に略等間隔に設けられている。２本のケーブル２Ａ（２つの端子３Ａ）は、コネクタ１の軸心部を挟んで対向配置され、他の２本のケーブル２Ｂ（２つの端子３Ｂ）は、２つの端子３Ａとは左右（または上下）対称に配置されている。２本のケーブル２Ａ（２つの端子３Ａ）と他の２本のケーブル２Ｂ（２つの端子３Ｂ）とは周方向に交互に並んでいる。なお、各ケーブル２Ａ，２Ｂは、略円形断面を有する索状体であって、導電材料から成る芯線（図示せず）を絶縁材料から成る外部被覆（図示せず）で被覆したものである。各端子３Ａ，３Ｂは、略円筒状に形成されている。また、２本のケーブル２Ａは他の２本のケーブル２Ｂよりも太く形成され、これと同様に、２つの端子３Ａは他の２つの端子３Ｂよりも太く形成されている。
【００３１】
［相手側コネクタの概要］
コネクタ１は、基板（図示せず）に実装された相手側コネクタ１００に嵌合可能に形成されている。相手側コネクタ１００は、相手側ハウジング１０１と、４つの相手側端子１０２Ａ，１０２Ｂと、を備えている。
【００３２】
相手側ハウジング１０１は、例えば、合成樹脂等の絶縁材料で略円筒状に形成されている。相手側ハウジング１０１には、その後端面（コネクタ１との対向面）を開口させ、コネクタ１を挿入するための相手側嵌合凹部１０３が形成されている。相手側ハウジング１０１（相手側嵌合凹部１０３）の内周面の下部には、前後方向略全域に亘って接続キー１０４が突設されている。相手側ハウジング１０１の上部には、ロック穴１０５が開口している。また、相手側嵌合凹部１０３の奥側（前端面）には、略円環状の相手側防水シール（図示せず）が固定されている。
【００３３】
各相手側端子１０２Ａ，１０２Ｂは、導電材料で、各端子３Ａ，３Ｂに挿入可能な略円柱状に形成されている。各相手側端子１０２Ａ，１０２Ｂは、相手側ハウジング１０１の前端部を前後方向に貫通した状態で固定されている。４つの相手側端子１０２Ａ，１０２Ｂは、コネクタ１の４つの端子３Ａ，３Ｂに対応するように配置されている。２つの相手側端子１０２Ａは、他の２つの相手側端子１０２Ｂよりも太く形成されている。各相手側端子１０２Ａ，１０２Ｂのうち、相手側ハウジング１０１の外部に延びた部分は基板に固定され、相手側ハウジング１０１（相手側嵌合凹部１０３）の内部に延びた部分は相手側嵌合凹部１０３に嵌合したコネクタ１の端子３Ａ，３Ｂに接続される。
【００３４】
［コネクタの構造］
次に、図２を参照して、コネクタ１の構造について詳細に説明する。図２はコネクタ１を示す分解斜視図である。
【００３５】
図２に示すように、コネクタ１は、ハウジング１０と、端子保持体１１と、防水シール１２と、キャップ１３と、を備えている。ハウジング１０は、前後方向に延びた略円筒状に形成されている。端子保持体１１は、ケーブル２Ａ，２Ｂの軸方向先端部に固定された端子３Ａ，３Ｂを保持する。防水シール１２は、ハウジング１０とケーブル２Ａ，２Ｂとに密着してハウジング１０の内部を密閉する。キャップ１３は、防水シール１２を覆うようにハウジング１０に固定されて防水シール１２を押さえる。
【００３６】
＜端子＞
先に、端子３Ａ，３Ｂについて簡単に説明する。なお、太さ（大きさ）が異なる２種の端子３Ａ，３Ｂは、略同様の構造であるため、以下、端子３Ａについて説明する。
【００３７】
端子３Ａは、結線部４Ａと、接触部６Ａと、を含んでいる。端子３Ａは、例えば、金属板をプレス加工することで製造される。結線部４Ａは、ケーブル２Ａの端末部に連結される部分である。結線部４Ａは、ケーブル２Ａの外部被覆や芯線等をかしめるための複数のバレル５Ａを含んでいる。接触部６Ａは、結線部４Ａの前端部（軸方向先端部）に連設されている。接触部６Ａは、後方から前方に向かって徐々に縮径する略円筒状に形成されている。なお、端子３Ａと同様に、端子３Ｂも、結線部４Ｂ（複数のバレル５Ｂ）と、接触部６Ｂと、を含んでいる。
【００３８】
＜ハウジング＞
次に、図１ないし図４を参照して、ハウジング１０について説明する。図３はハウジング１０を示す背面図である。図４は、図３のＩＶ−ＩＶ断面図である。
【００３９】
図２に示すように、ハウジング１０は、例えば、合成樹脂等の絶縁材料で略円筒状に形成されている。ハウジング１０の外形は、相手側ハウジング１０１の相手側嵌合凹部１０３に嵌合可能に形成されている（図１参照）。ハウジング１０には、その後端面を開口させた嵌合凹部１５が形成されている。
【００４０】
ハウジング１０は、ハウジング本体２０と、先端接続部２１と、を含んでいる。ハウジング本体２０は、ハウジング１０の前部を除く大部分を構成している。先端接続部２１は、ハウジング本体２０よりも縮径した略円筒状に形成され、ハウジング本体２０の前端部に接続当接面２０Ａを介して連設されている。ハウジング本体２０と先端接続部２１とは一体に形成され、嵌合凹部１５はハウジング本体２０と先端接続部２１とに亘って形成されている（図４参照）。
【００４１】
（ハウジング本体）
図４に示すように、ハウジング本体２０の後部上面２０Ｂは、傾斜面２０Ｃを介して一段上方に形成されている。図２および図４に示すように、ハウジング本体２０の上面には、ロック操作部２２が形成されている。ロック操作部２２は、ハウジング本体２０の上面との間に隙間を挟んで前端部と後端部との間に架設されている。ロック操作部２２は、ハウジング本体２０の上面と略平行に延びた略帯状に形成されている。ロック操作部２２のロック後部２２Ｂは、ハウジング本体２０の傾斜面２０Ｃや後部上面２０Ｂに沿うようにロック傾斜部２２Ｃを介して一段上方に形成されている。ロック操作部２２のロック傾斜部２２Ｃよりも前側には、ロック凸部２２Ａが突設されている。ロック凸部２２Ａの前端面は、ロック操作部２２の上面から径方向外方に向かって後方に傾斜している。
【００４２】
ハウジング本体２０の下部には、前後方向略全域に亘って接続キー溝２３（図４参照）が凹設されている。また、図２および図３に示すように、ハウジング本体２０の後部（軸方向基端側）の左右両外面には、一対の係止凸部２４（係止部）が突設されている（図２および図３参照）。各係止凸部２４の後端面は、ハウジング本体２０の外周面から径方向外方に向かって前方に傾斜している。また、係止凸部２４よりも前方にてハウジング本体２０の外周面には、周方向に間隔をあけて複数の接続押圧凸部２５が突設されている。各接続押圧凸部２５は、ハウジング本体２０の外周面から径方向外向きに僅かに盛り上がっている。
【００４３】
（先端接続部）
図１および図３に示すように、先端接続部２１の先端壁２１Ａには、外部と嵌合凹部１５とを連通させる４つの端子穴２６Ａ，２６Ｂが開口している。４つの端子穴２６Ａ，２６Ｂは、相手側コネクタ１００の４つの相手側端子１０２Ａ，１０２Ｂ（またはコネクタ１の４つの端子３Ａ，３Ｂ）に対応する形状・位置に形成されている。４つの端子穴２６Ａ，２６Ｂは、各相手側端子１０２Ａ，１０２Ｂを挿入し、各相手側端子１０２Ａ，１０２Ｂを各端子３Ａ，３Ｂに接触させるために形成されている。なお、各端子穴２６Ａ，２６Ｂの前方縁部は、面取りされてテーパー状に形成されている。
【００４４】
（嵌合凹部）
図３および図４に示すように、嵌合凹部１５は、端子保持体１１と防水シール１２とを収容するための空間である。嵌合凹部１５は、保持体嵌合部１６と、シール嵌合部１７と、を含んでいる。
【００４５】
（保持体嵌合部）
保持体嵌合部１６は、先端接続部２１の先端壁２１Ａの内面からハウジング本体２０の後部上面２０Ｂの前端までの間の空間である。保持体嵌合部１６は、各端子３Ａ，３Ｂを保持した端子保持体１１と略同一となる断面形状であって、複数の円弧を周方向に連ねた複雑な断面形状を成している（図３参照）。保持体嵌合部１６を形成するハウジング１０の底面には、前後方向略全域に亘って嵌合キー１８が突設されている（図３参照）。また、保持体嵌合部１６を構成する先端接続部２１の天面、底面、左右両側面（ハウジング１０の内周面）には、それぞれ、複数の内側押圧凸部１９が突設されている。各内側押圧凸部１９は、先端接続部２１の内周面から径方向内向きに僅かに盛り上がっている。
【００４６】
（シール嵌合部）
シール嵌合部１７は、保持体嵌合部１６の後端からハウジング本体２０の後端までの間の空間である。すなわち、シール嵌合部１７は、保持体嵌合部１６と一体を成し、後端面を外部に開放した略円柱状の空間である。シール嵌合部１７は、背面から見て、保持体嵌合部１６を全て内包する程度の直径となる略円形断面を有している。端子保持体１１とシール嵌合部１７との間（境界）には、環状のシール当接面１７Ａが形成されている。なお、シール嵌合部１７の後方縁部は、面取りされてテーパー状に形成されている。
【００４７】
＜端子保持体＞
次に、図２および図５を参照して、端子保持体１１について説明する。図５は端子保持体１１を示す斜視図である。
【００４８】
端子保持体１１は、例えば、合成樹脂等の絶縁材料でハウジング１０の内部（保持体嵌合部１６）に嵌合可能に形成されている。端子保持体１１は、一対の横アーム部３０と、一対の縦アーム部３１と、を含んでいる。端子保持体１１を正面（軸方向）から見て、一対の横アーム部３０は軸心部から左右両側に延設され、一対の縦アーム部３１は軸心部から上下両側に延設されている。つまり、端子保持体１１は、略十字状の断面を有する略棒状に形成されている。
【００４９】
一対の横アーム部３０と一対の縦アーム部３１とは、周方向に交互に配置されている。隣り合う縦アーム部３１と横アーム部３０との間には、４つの端子３Ａ，３Ｂや４本のケーブル２Ａ，２Ｂを嵌合させる４つの端子嵌合溝３２Ａ，３２Ｂが形成されている。各端子嵌合溝３２Ａ，３２Ｂは、（軸方向に直交する）径方向外側から内側に向かって凹設されている。２つの端子嵌合溝３２Ａは、端子保持体１１の軸心部を挟んで対向配置され、他の２つの端子嵌合溝３２Ｂは、２つの端子嵌合溝３２Ａとは左右（または上下）対称に配置されている。各端子嵌合溝３２Ａ，３２Ｂは、略半円形状の断面を有する溝である。各端子嵌合溝３２Ａは太い端子３Ａ等に対応する形状を有し、各端子嵌合溝３２Ｂは細い端子３Ｂ等に対応する形状を有している。各端子嵌合溝３２Ａ，３２Ｂの前後方向中間には、各端子３Ａ，３Ｂを確りと挟み込む略Ｃ字状の端子挟持部３３Ａ，３３Ｂが設けられている。
【００５０】
下方に延びた縦アーム部３１の下端面には、前後方向略全域に亘って嵌合キー溝３４が凹設されている。また、端子保持体１１（各縦アーム部３１および各横アーム部３０）の後部の外面には、複数の外側押圧凸部３５が突設されている。各外側押圧凸部３５は、各縦アーム部３１および各横アーム部３０の外面から径方向外向きに僅かに盛り上がっている。また、一対の横アーム部３０の後端面（端子保持体１１）には、一対の突起嵌合凹部３６が凹設されている（図２参照）。各突起嵌合凹部３６は略円形断面を有する窪みであり、各突起嵌合凹部３６の後方縁部は面取りされてテーパー状に形成されている。
【００５１】
＜防水シール＞
次に、図２および図６を参照して、防水シール１２について説明する。図６は防水シール１２を示す斜視図である。
【００５２】
防水シール１２は、例えば、合成ゴム等の弾性変形可能な材料で略円柱状に形成されている。防水シール１２は、ハウジング１０の内部（シール嵌合部１７）に嵌合可能に形成されている。防水シール１２の外周面には、２つの外側突条部４０が全周に亘って形成されている。２つの外側突条部４０は、前後方向に間隔をあけた位置にて防水シール１２の外周面から径方向外側に向かって突設されている。
【００５３】
防水シール１２には、４本のケーブル２Ａ，２Ｂを貫通させる４つのシール側貫通穴４１Ａ，４１Ｂが形成されている。各シール側貫通穴４１Ａ，４１Ｂは、防水シール１２を前後方向に貫通した穴である。４つのシール側貫通穴４１Ａ，４１Ｂは、端子保持体１１の４つの端子嵌合溝３２Ａ，３２Ｂ（４本のケーブル２Ａ，２Ｂ）に対応する位置に形成されている。すなわち、２つのシール側貫通穴４１Ａは、防水シール１２の軸心部を挟んで対向配置され、他の２つのシール側貫通穴４１Ｂは、２つのシール側貫通穴４１Ａとは左右（または上下）対称に配置されている。４つのシール側貫通穴４１Ａ，４１Ｂは、４本のケーブル２Ａ，２Ｂに対応する直径に形成されている。各シール側貫通穴４１Ａ，４１Ｂの内周面には、３つの内側突条部４２Ａ，４２Ｂが全周に亘って形成されている。３つの内側突条部４２Ａ，４２Ｂは、前後方向に間隔をあけた位置にて各シール側貫通穴４１Ａ，４１Ｂの内周面から径方向内側に向かって突設されている。
【００５４】
また、防水シール１２には、２つの突起用貫通穴４３が各シール側貫通穴４１Ａ，４１Ｂと平行に形成されている。２つの突起用貫通穴４３は、防水シール１２の左右両側、且つ上下方向に隣り合う２つのシール側貫通穴４１Ａ，４１Ｂの間にて防水シール１２を前後方向に貫通した穴である。２つの突起用貫通穴４３は、後述するキャップ１３の２つの突起部５７を貫通させるために形成されている。各突起用貫通穴４３は突起部５７に対応する直径に形成され、その内周面には３つの突起用突条部４４が全周に亘って形成されている。３つの突起用突条部４４は、前後方向に間隔をあけた位置にて各突起用貫通穴４３の内周面から径方向内側に向かって突設されている。
【００５５】
また、図６に示すように、防水シール１２の中央付近には、姿勢決め穴４５が各シール側貫通穴４１Ａ，４１Ｂと平行に形成されている。姿勢決め穴４５は、防水シール１２の後部（軸方向基端部）のみに開口している。
【００５６】
なお、各シール側貫通穴４１Ａ，４１Ｂおよび各突起用貫通穴４３の前後両方の縁部は面取りされてテーパー状に形成されている。また、姿勢決め穴４５の後方縁部も面取りされてテーパー状に形成されている。
【００５７】
＜キャップ＞
次に、図２、図７ないし図９を参照して、キャップ１３について説明する。図７はキャップ１３を示す斜視図である。図８はキャップ１３を示す正面図である。図９は、図８のＩＸ−ＩＸ断面図である。
【００５８】
図２および図７に示すように、キャップ１３は、例えば、合成樹脂等の絶縁材料で略円筒状に形成されている。キャップ１３には、その前端面を開口させ、ハウジング１０の後端部が嵌合する装着凹部５０が形成されている。キャップ１３の上部には、略矩形状の切欠き部５１が前端から後端近傍まで切り欠かれている。キャップ１３がハウジング１０の後部外側に嵌め込まれた状態で、切欠き部５１にはロック操作部２２（ロック後部２２Ｂ）が配置される。
【００５９】
図７および図８に示すように、キャップ１３の基端壁１３Ａ（後端面）には、４本のケーブル２Ａ，２Ｂを貫通させる４つのキャップ側貫通穴５５Ａ，５５Ｂが形成されている。各キャップ側貫通穴５５Ａ，５５Ｂは、キャップ１３の基端壁１３Ａを前後方向に貫通した穴であって、外部と装着凹部５０とを連通させている。４つのキャップ側貫通穴５５Ａ，５５Ｂは、防水シール１２の４つのシール側貫通穴４１Ａ，４１Ｂに対応する位置に形成されている。すなわち、２つのキャップ側貫通穴５５Ａは、キャップ１３の軸心部を挟んで対向配置され、他の２つのキャップ側貫通穴５５Ｂは、２つのキャップ側貫通穴５５Ａとは左右（または上下）対称に配置されている。４つのキャップ側貫通穴５５Ａ，５５Ｂは、４本のケーブル２Ａ，２Ｂに対応する直径に形成されている。なお、各キャップ側貫通穴５５Ａ，５５Ｂの前後両方の縁部は面取りされてテーパー状に形成されている。
【００６０】
また、各キャップ側貫通穴５５Ａ，５５Ｂの内周面には、複数の接触凸部５６Ａ，５６Ｂが周方向に間隔をあけた位置において径方向中心に向かって突設されている。詳細には、複数の接触凸部５６Ａ，５６Ｂは、各キャップ側貫通穴５５Ａ，５５Ｂの周方向に略等間隔に形成されている。また、各接続押圧凸部２５は、各キャップ側貫通穴５５Ａ，５５Ｂの内周面から径方向内向きに僅かに盛り上がっている。
【００６１】
図９に示すように、装着凹部５０を形成するキャップ１３の左右両側面（内周面）には、一対の係止内側凸部５２（被係合部）が突設され、その後方には、一対の係止凹部５３（被係合部）が相対的に凹設されている。係止内側凸部５２の前端面は、キャップ１３の内周面から径方向内方に向かって後方に傾斜している。また、キャップ１３の一対の係止凹部５３よりも後側には、一対のロック確認窓５４が開口している。各ロック確認窓５４はキャップ１３を厚み方向（径方向）に貫通した略矩形状の穴である。
【００６２】
また、図８および図９に示すように、キャップ１３の基端壁１３Ａには、２つの突起部５７と姿勢決め突起部５８とが立設されている。２つの突起部５７および姿勢決め突起部５８は、基端壁１３Ａ（防水シール１２との対向面）から前方に向かって突設（延設）されている。各突起部５７は、防水シール１２の前後方向の寸法よりも長い略丸棒状に形成されている。姿勢決め突起部５８は、防水シール１２の前後方向の寸法よりも短く、且つ各突起部５７の長さの半分以下の長さとなる略丸棒状に形成されている。２つの突起部５７は、基端壁１３Ａの左右両側、且つ上下方向に隣り合う２つのキャップ側貫通穴５５Ａ，５５Ｂの間に配置されている。姿勢決め突起部５８は、基端壁１３Ａの中央付近に配置されている。２つの突起部５７および姿勢決め突起部５８は、防水シール１２の２つの突起用貫通穴４３および姿勢決め穴４５に対応する位置に形成されている。
【００６３】
各突起部５７は、キャップ１３（基端壁１３Ａ）に突設された突起本体５７Ａと、突起本体５７Ａの先端部（前端部）に連設された嵌合先端部５７Ｂと、を有している。各突起本体５７Ａは、防水シール１２の突起用貫通穴４３を貫通可能な直径・長さに形成されている。各嵌合先端部５７Ｂは、突起本体５７Ａよりも小さな断面を有し（小径に形成され）、突起本体５７Ａの先端部に当接面５７Ｃ（段差面）を介して連設されている。当接面５７Ｃは、正面から見て円環状に形成された突起本体５７Ａの先端面の一部である。
【００６４】
［コネクタの組立］
次に、図２、図１０ないし図１４を参照して、コネクタ１の組立方法について説明する。図１０はコネクタ１の組立方法の第１工程を説明する斜視図である。図１１はコネクタ１の組立方法の第２工程を説明する斜視図である。図１２はコネクタ１の組立方法の第３工程を説明する斜視図である。図１３はコネクタ１を示す側面図である。図１４は、図１３のＸＩＶ−ＸＩＶ断面図である。また、図１３および図１４では、ケーブル２Ａ，２Ｂや端子３Ａ，３Ｂの図示を省略している。
【００６５】
＜第１工程＞
第１工程として、図１０に示すように、作業者は、キャップ１３の装着凹部５０（の開口部）に、姿勢決め穴４５（図６参照）を対向させるように防水シール１２を配置する。続いて、各ケーブル２Ａを防水シール１２に形成されたシール側貫通穴４１Ａとキャップ１３に形成されたキャップ側貫通穴５５Ａとに貫通させる。これと同様に、作業者は、各ケーブル２Ｂをシール側貫通穴４１Ｂとキャップ側貫通穴５５Ｂとに貫通させる。この状態で、各内側突条部４２Ａ，４２Ｂ（図１４参照）は、各シール側貫通穴４１Ａ，４１Ｂに配置された各ケーブル２Ａ，２Ｂの外周面に弾性力をもって密着している。これにより、各ケーブル２Ａ，２Ｂと防水シール１２との間の防水が確保される。また、複数の接触凸部５６Ａ，５６Ｂの先端部は、各キャップ側貫通穴５５Ａ，５５Ｂに配置された各ケーブル２Ａ，２Ｂの外周面に僅かに食い込むように接触している。なお、各接触凸部５６Ａ，５６Ｂ以外のキャップ側貫通穴５５Ａ，５５Ｂの内周面は、ケーブル２Ａ，２Ｂの外周面に軽く接触する、または接触しない。
【００６６】
＜第２工程＞
次に、第２工程として、作業者は、防水シール１２から前方に延びた各ケーブル２Ａ，２Ｂの前端部（軸方向先端部）に端末処理（芯線の露出等）を施し（図１０参照）、各ケーブル２Ａ，２Ｂに端子３Ａ，３Ｂを固定する（図２参照）。具体的には、作業者は、ケーブル２Ａ，２Ｂの前端部（端末部）を端子３Ａ，３Ｂの結線部４Ａ，４Ｂに配置し、工具を用いてケーブル２Ａ，２Ｂの外部被覆や芯線をバレル５Ａ，５Ｂでかしめる。以上によって、ケーブル２Ａ，２Ｂの端末部が端子３Ａ，３Ｂに連結される。なお、図２および図１１では、バレル５Ａ，５Ｂがかしめられていない状態を図示している。また、各ケーブル２Ａ，２Ｂの端末処理は、第１工程で行ってもよいし、第１工程の前工程で行ってもよい。
【００６７】
続いて、第２工程として、図１１に示すように、作業者は、４つの端子３Ａ，３Ｂを端子保持体１１に保持させる。具体的には、作業者は、端子保持体１１に凹設された４つの端子嵌合溝３２Ａ，３２Ｂに対して４つの端子３Ａ，３Ｂを径方向外側から嵌め込む。また、作業者は、各端子３Ａ，３Ｂの結線部４Ａ，４Ｂと接触部６Ａ，６Ｂとの境目付近を各端子挟持部３３Ａ，３３Ｂに押し込む。以上によって、各端子３Ａ，３Ｂは各端子挟持部３３Ａ，３３Ｂに確りと挟持され、各端子３Ａ，３Ｂと各ケーブル２Ａ，２Ｂとは端子嵌合溝３２Ａ，３２Ｂに嵌合した状態に保持される。
【００６８】
＜第３工程＞
次に、第３工程として、図１２に示すように、作業者は、各端子３Ａ，３Ｂを保持した端子保持体１１をハウジング１０の内部に挿入する。具体的には、作業者は、端子保持体１１をハウジング１０の後方に配置し（図１１参照）、端子保持体１１をハウジング１０の嵌合凹部１５に挿入する。この際、作業者は、ハウジング１０の嵌合キー１８（図３参照）を端子保持体１１の嵌合キー溝３４（図５参照）に合わせ、嵌合キー溝３４に沿って端子保持体１１を前方にスライドさせる。
【００６９】
嵌合凹部１５への端子保持体１１の挿入が進むと、ハウジング１０（先端接続部２１）の内周面に突設された複数の内側押圧凸部１９（図４参照）は、端子保持体１１の各縦アーム部３１および各横アーム部３０の前部外面に接触する。これと同時期に、端子保持体１１（各縦アーム部３１および各横アーム部３０）の外面に突設された複数の外側押圧凸部３５（図５参照）は、ハウジング１０（ハウジング本体２０）の後部内面に接触する。すると、ハウジング１０と端子保持体１１との摺動抵抗が増加するため、作業者は、端子保持体１１を介して抵抗力（重くなったこと）を感じる。作業者が当該抵抗力を感じた後に更に端子保持体１１を押し込むと、端子保持体１１の先端面がハウジング１０の先端壁２１Ａの内面に当接する。これにより、端子保持体１１の押し込みが規制され、嵌合凹部１５への端子保持体１１の挿入が完了する。
【００７０】
以上によって、端子保持体１１がハウジング１０の内部に配置（収容）された状態になる。正確には、端子保持体１１は、ハウジング１０の保持体嵌合部１６に嵌合した状態になる。この状態において、複数の内側押圧凸部１９は端子保持体１１（各縦アーム部３１、各横アーム部３０）の前部外面に押し付けられ、複数の外側押圧凸部３５はハウジング１０の後部内面に押し付けられる。これにより、端子保持体１１は、保持体嵌合部１６の内部にて移動規制された状態になる。また、この状態で、４つの端子３Ａ，３Ｂの接触部６Ａ，６Ｂは、先端壁２１Ａの４つの端子穴２６Ａ，２６Ｂに対向配置されている。
【００７１】
＜第４工程＞
次に、第４工程として、作業者は、キャップ１３を各ケーブル２Ａ，２Ｂに沿って後方から前方に移動させる（図１２の太矢印参照）。この際、キャップ１３の複数の接触凸部５６Ａ，５６Ｂはケーブル２Ａ，２Ｂの外周面に略点接触しており、摺動抵抗が軽減されているため、キャップ１３はケーブル２Ａ，２Ｂに沿って円滑にスライドすることができる。
【００７２】
図１３および図１４に示すように、作業者は、防水シール１２をキャップ１３の装着凹部５０に嵌め込みながら、キャップ１３の基端壁１３Ａから延びた２つの突起部５７を、防水シール１２に形成された２つの突起用貫通穴４３に貫通させる。これと同時期に、作業者は、キャップ１３の基端壁１３Ａから延びた姿勢決め突起部５８（図９参照）を、防水シール１２に形成された姿勢決め穴４５（図６参照）に挿入する。この状態で、各突起部５７の突起本体５７Ａは突起用貫通穴４３の内部に配置され、各突起部５７の嵌合先端部５７Ｂは防水シール１２（突起用貫通穴４３）の前方に突き抜けている。また、各突起用突条部４４は、各突起用貫通穴４３に配置された各突起部５７の外周面に弾性力をもって密着している。これにより、各突起部５７と防水シール１２との間の防水が確保される。なお、キャップ１３の各突起部５７および姿勢決め突起部５８を、防水シール１２の各突起用貫通穴４３およびに姿勢決め穴４５に通す作業は、第１〜第３工程の何れかで実行されてもよい。
【００７３】
続いて、作業者は、キャップ１３を防水シール１２と共に後方から前方に向かって移動させる。キャップ１３の切欠き部５１には、ハウジング１０のロック操作部２２（ロック後部２２Ｂ）が相対的に進入する（図１参照）。また、キャップ１３がハウジング１０の後部の外側に嵌り込む過程で、キャップ１３の各係止内側凸部５２はハウジング１０の各係止凸部２４に当接する。キャップ１３を更に前方に押し込むと、係止内側凸部５２（の傾斜）が係止凸部２４の傾斜に沿って移動するため、キャップ１３は左右方向外側に弾性変形しながら押し込まれて行く。そして、各係止内側凸部５２が各係止凸部２４を乗り越えると、各係止凸部２４が各係止凹部５３に嵌り込み、且つ各係止内側凸部５２の後端面に当接（係止）する。これにより、キャップ１３は、引き抜き規制された状態でハウジング１０の後部の外側に嵌り込む（ハウジング１０の後端部を覆っている）（図１４参照）。
【００７４】
以上によって、キャップ１３は、防水シール１２の後端面（軸方向基端部）に対向するようにハウジング１０に固定される（図１４参照）。また、各係止凸部２４が係止内側凸部５２に係止した状態で、ハウジング１０の後端部１０Ａ（軸方向基端側）は一対のロック確認窓５４にて露出する（図１３参照）。
【００７５】
また、この状態で、図１４に示すように、防水シール１２は、端子保持体１１の後端面（軸方向基端部）に対向するようにハウジング１０の内部に配置され、ハウジング１０の内周面に密着する。正確には、防水シール１２はハウジング１０のシール嵌合部１７に嵌合し、防水シール１２の前端面の径方向外側はシール当接面１７Ａに当接している。また、防水シール１２の各外側突条部４０は径方向内側に弾性変形させられた状態でシール嵌合部１７の内周面に密着している。これにより、ハウジング１０と防水シール１２との間の防水が確保される。なお、防水シール１２の前端面は端子保持体１１の後端面に接触してもよいし、僅かに隙間を有して対向してもよい。また、防水シール１２の後端面はキャップ１３（基端壁１３Ａ）の前端面に接触してもよいし、僅かに隙間を有して対向してもよい。
【００７６】
また、この状態で、防水シール１２（突起用貫通穴４３）を貫通した各突起部５７（の先端部）は、端子保持体１１の後端面に当接する。詳細には、突起本体５７Ａの当接面５７Ｃは端子保持体１１の突起嵌合凹部３６の外縁部に当接し、嵌合先端部５７Ｂは突起嵌合凹部３６に嵌合する。
【００７７】
以上によって、コネクタ１の組み立てが完了する。つまり、コネクタ１が完成する。
【００７８】
［コネクタの接続作用］
次に、図１を参照して、相手側コネクタ１００にコネクタ１を接続する際の作用について説明する。
【００７９】
作業者は、コネクタ１を相手側コネクタ１００の後方に配置し、コネクタ１（ハウジング１０）を相手側ハウジング１０１の相手側嵌合凹部１０３に挿入する。この際、作業者は、相手側ハウジング１０１の接続キー１０４をハウジング１０の接続キー溝２３（図４参照）に合わせ、接続キー溝２３に沿ってコネクタ１を前方にスライドさせる。
【００８０】
相手側嵌合凹部１０３へのコネクタ１の挿入が進むと、ハウジング１０のロック操作部２２のロック凸部２２Ａが、相手側ハウジング１０１の後端部に接触しながら傾斜に沿って移動するため、ロック操作部２２は下方に弾性変形しながら挿入されて行く。そして、ロック凸部２２Ａが、相手側ハウジング１０１のロック穴１０５に嵌り込む。これにより、コネクタ１は、引き抜き規制された状態で相手側コネクタ１００に嵌合する。なお、相手側ハウジング１０１の後端部はロック傾斜部２２Ｃの手前に位置している（またはロック傾斜部２２Ｃに接触している）。
【００８１】
この状態で、ハウジング１０の先端接続部２１の外周面や接続当接面２０Ａは、相手側ハウジング１０１の相手側防水シールに密着する。これにより、コネクタ１と相手側コネクタ１００との間の防水が確保される。また、この状態で、相手側コネクタ１００の４つの相手側端子１０２Ａ，１０２Ｂは、ハウジング１０の先端壁２１Ａに開口した４つの端子穴２６Ａ，２６Ｂを通って４つの端子３Ａ，３Ｂの接触部６Ａ，６Ｂに挿入される。各接触部６Ａ，６Ｂが弾性力をもって各相手側端子１０２Ａ，１０２Ｂを挟み込むことで、端子３Ａ，３Ｂと相手側端子１０２Ａ，１０２Ｂとの電気的な接続が確保される。さらに、この状態で、ハウジング１０（ハウジング本体２０）の複数の接続押圧凸部２５は、相手側ハウジング１０１の内周面に押し付けられている。これにより、コネクタ１（ハウジング１０）が、がたつくことなく相手側ハウジング１０１に嵌合する。
【００８２】
以上によって、相手側コネクタ１００へのコネクタ１の接続が完了する。なお、相手側ハウジング１０１に対するコネクタ１の接続を解除するには、作業者は、ロック操作部２２のロック後部２２Ｂを押し下げてロック凸部２２Ａをロック穴１０５から離脱させ、ハウジング１０を後方に引き抜けばよい。
【００８３】
以上説明した本実施形態に係るコネクタ１では、キャップ１３から延びた各突起部５７が、防水シール１２を貫通して端子保持体１１に当接する構成とした。この構成によれば、例えば、ケーブル２Ａ，２Ｂを引抜く力を、端子保持体１１から各突起部５７に伝え、各突起部５７を介してキャップ１３に伝えることができる。これにより、防水シール１２に伝達される力が少なくなる（または無くなる）ため、防水シール１２の過度な変形を抑制することができる。その結果、防水シール１２による防水状態を適切に維持し続けることができる。なお、各突起部５７を介してキャップ１３に伝わった力は、キャップ１３が固定されたハウジング１０に伝わる。また、ハウジング１０に伝わった力は、ロック操作部２２（ロック凸部２２Ａ）等を介して相手側ハウジング１０１に伝わる。これにより、ケーブル２Ａ，２Ｂを引抜く力に対抗することができる。
【００８４】
また、本実施形態に係るコネクタ１によれば、各端子３Ａ，３Ｂを端子保持体１１の径方向外側から各端子嵌合溝３２Ａ，３２Ｂに嵌め込むことができる。このため、例えば、各端子３Ａ，３Ｂを軸方向に延びた穴に挿入する場合に比べて、簡単に各端子３Ａ，３Ｂを端子保持体１１に保持させることができる。
【００８５】
仮に、端子保持体１１に４つの端子３Ａ，３Ｂを挿入するための４つの穴が開いている場合について考える。この場合、４つの端子３Ａ，３Ｂを同時に４つの穴に挿入することは非常に困難であるため、通常、作業者は、１つ１つ端子３Ａ，３Ｂを穴に挿入することになる。例えば、１つのケーブル２Ａに固定された端子３Ａを１つの穴に挿入した状態で、他のケーブル２Ｂに固定された端子３Ｂを他の穴に挿入する場合、他の端子３Ｂを他の穴の入口に向けるために、ケーブル２Ｂを弛ませながら曲げなければならない。このため、全てのケーブル２Ａ，２Ｂは、弛ませることを考慮して長めに確保しなければならない。すると、必要以上に長いケーブル２Ａ，２Ｂに対応するように端子保持体１１等も軸方向に長くなり、コネクタ１の小型化が阻害されてしまう。そこで、本実施形態に係るコネクタ１によれば、ケーブル２Ａ，２Ｂを弛ませることなく、４つの端子３Ａ，３Ｂを径方向外側から４つの端子嵌合溝３２Ａ，３２Ｂに嵌め込むことができる。これにより、ケーブル２Ａ，２Ｂを必要最小限の長さに形成することができ、コネクタ１の小型化を図ることができる。
【００８６】
また、本実施形態に係るコネクタ１では、各突起部５７が段付き棒状に形成され、各突起部５７の先端部（嵌合先端部５７Ｂ）が端子保持体１１の突起嵌合凹部３６に嵌合する構成とした。この構成によれば、各嵌合先端部５７Ｂが突起嵌合凹部３６に嵌合することで、キャップ１３と端子保持体１１との位置決めを簡単に行うことができる。
【００８７】
また、本実施形態に係るコネクタ１では、姿勢決め穴４５が防水シール１２の後端面のみに開口していた。この構成によれば、作業者は姿勢決め穴４５を姿勢決め突起部５８の側に向けることで、防水シール１２の向きを一義的に決定することができる。これにより、コネクタ１の組立時に防水シール１２の向きを間違えることを予防することができる。
【００８８】
また、本実施形態に係るコネクタ１によれば、キャップ１３の複数の接触凸部５６Ａ，５６Ｂの先端部がケーブル２Ａ，２Ｂの外周面に概ね点接触するため、キャップ側貫通穴５５Ａ，５５Ｂの内周面全体がケーブル２Ａ，２Ｂの外周面に接触する場合に比べて、キャップ側貫通穴５５Ａ，５５Ｂにケーブル２Ａ，２Ｂを容易に貫通させることができる。また、複数の接触凸部５６Ａ，５６Ｂがケーブル２Ａ，２Ｂの外周面に点接触しているため、キャップ側貫通穴５５Ａ，５５Ｂから外部に延びたケーブル２Ａ，２Ｂの曲げ（こじり）を抑制することができる。ケーブル２Ａ，２Ｂがこじられることで、ケーブル２Ａ，２Ｂとシール側貫通穴４１Ａ，４１Ｂとの間に隙間ができることを抑制することができる。
【００８９】
また、本実施形態に係るコネクタ１によれば、端子保持体１１がハウジング１０の内部に配置された状態で、複数の内側押圧凸部１９が端子保持体１１の外面に押し付けられ、複数の外側押圧凸部３５がハウジング１０の内周面に押し付けられるため、ハウジング１０の内部での端子保持体１１のがたつきを抑えることができる。また、各内側押圧凸部１９はハウジング１０の前部に設けられ、各外側押圧凸部３５は端子保持体１１に設けられているため、ハウジング１０に対する端子保持体１１の挿入が完了する間際に、内側および外側押圧凸部１９，３５が対向面に接触する。このため、ハウジング１０に対して端子保持体１１を挿入する過程（挿入開始から完了直前までの間）で内側および外側押圧凸部１９，３５が抵抗になることが無く、端子保持体１１を円滑にスライドさせることができる。
【００９０】
また、本実施形態に係るコネクタ１では、各係止凸部２４が係止内側凸部５２に係止することで、キャップ１３がハウジング１０にロックされていた。また、ロック状態で、ハウジング１０の後端部１０Ａがロック確認窓５４に露出する構成とした。この構成によれば、作業者は、ロック確認窓５４に露出したハウジング１０の後端部１０Ａを確認することで、キャップ１３がハウジング１０に適正にロックされたことを確認することができる。これにより、キャップ１３がハウジング１０にロックされていない状態を、ロック状態であると勘違いすることを未然に防ぐことができる。なお、ハウジング１０の後端部１０Ａがロック確認窓５４に露出したことを明確に認識できるように、ハウジング１０とキャップ１３との色が相違していることが好ましい。
【００９１】
以上説明した本実施形態に係るコネクタ１の組立方法では、防水シール１２がキャップ１３に押されてハウジング１０の内部に移動する構成とした。この構成によれば、キャップ１３によって防水シール１２を均一且つ安定した姿勢で押し込むことができる。これにより、防水シール１２は、適切な姿勢でハウジング１０の内部に配置されてハウジング１０の内周面に密着するため、適正な防水性能を発揮することができる。
【００９２】
また、本実施形態に係るコネクタ１の組立方法によれば、各端子３Ａ，３Ｂを径方向外側から端子嵌合溝３２Ａ，３２Ｂに嵌め込むことができるため、各端子３Ａ，３Ｂを軸方向に延びた穴に挿入する場合に比べて、簡単に各端子３Ａ，３Ｂを端子保持体１１に保持させることができる。
【００９３】
なお、本実施形態に係るコネクタ１では、一対の突起嵌合凹部３６が端子保持体１１に凹設され、一対の突起部５７がキャップ１３に突設されていたが、本発明はこれに限定されない。一対の突起嵌合凹部３６がキャップ１３に凹設され、一対の突起部５７が端子保持体１１に突設されてもよい（図示せず）。すなわち、突起部５７は端子保持体１１とキャップ１３の何れか一方に突設され、突起嵌合凹部３６は端子保持体１１とキャップ１３の何れか他方に凹設されていればよい。これと同様に、姿勢決め穴４５が防水シール１２の前端面に凹設され、姿勢決め突起部５８が端子保持体１１に突設されてもよい（図示せず）。すなわち、姿勢決め穴４５は防水シール１２の前端面と後端面の何れか一方のみに開口し、姿勢決め突起部５８は、姿勢決め穴４５に合わせて、端子保持体１１とキャップ１３の何れか一方に突設されていればよい。
【００９４】
また、本実施形態に係るコネクタ１では、キャップ１３に２つの突起部５７と姿勢決め突起部５８とが設けられ、防水シール１２に２つの突起用貫通穴４３と姿勢決め穴４５とが設けられていたが、本発明はこれに限定されない。突起部５７や突起用貫通穴４３は、１つ以上設けられていればよい。また、姿勢決め突起部５８や姿勢決め穴４５は、２本以上設けられてもよいし、省略（削除）されてもよい。
【００９５】
また、本実施形態に係るコネクタ１では、キャップ１３の突起部５７の先端部（嵌合先端部５７Ｂ）が端子保持体１１の突起嵌合凹部３６に嵌合していたが、本発明はこれに限定されない。例えば、嵌合先端部５７Ｂを省略し、突起部５７の突起本体５７Ａの先端部が突起嵌合凹部３６に嵌合してもよい。また、例えば、突起嵌合凹部３６および嵌合先端部５７Ｂを省略し、突起本体５７Ａの先端面が端子保持体１１の後端面に当接してもよい。
【００９６】
また、本実施形態に係るコネクタ１では、端子３Ａ，３Ｂが径方向外側から端子保持体１１（端子嵌合溝３２Ａ，３２Ｂ）に嵌合する構成であったが、本発明はこれに限定されない。例えば、端子３Ａ，３Ｂを端子保持体１１に軸方向に挿入する構造であってもよい（図示せず）。
【００９７】
また、本実施形態に係るコネクタ１では、太さの異なる端子３Ａ，３Ｂやケーブル２Ａ，２Ｂを備えていたが、本発明はこれに限定されない。例えば、４つの端子３Ａ，３Ｂや４本のケーブル２Ａ，２Ｂは、全て同じ太さであってもよいし、全て異なる太さであってもよい（図示せず）。また、端子３Ａ，３Ｂやケーブル２Ａ，２Ｂの数は、１つ以上であればよく、自由に増減してもよい。これらの場合、ハウジング１０、端子保持体１１、防水シール１２およびキャップ１３は、端子３Ａ，３Ｂやケーブル２Ａ，２Ｂの断面形状や数に応じて適宜変更することが好ましい（図示せず）。
【００９８】
また、本実施形態に係るコネクタ１では、ハウジング１０に複数の内側押圧凸部１９が設けられ、端子保持体１１に複数の外側押圧凸部３５が設けられていたが、これに限らず、内側および外側押圧凸部１９，３５は、１つ以上設けられていればよい。また、各内側押圧凸部１９がハウジング１０の前部に設けられ、各外側押圧凸部３５が端子保持体１１に設けられていたが、これらに限らず、例えば、これらは前後方向（軸方向）中間部に設けられてもよい（図示せず）。
【００９９】
なお、上記実施形態の説明は、本発明に係るコネクタおよびコネクタの組立方法における一態様を示すものであって、本発明の技術範囲は、上記実施形態に限定されるものではない。上記実施形態における構成要素は、適宜、既存の構成要素等との置き換えや組み合わせが可能であって、上記実施形態の記載をもって、特許請求の範囲に記載された発明の内容を限定するものではない。
【符号の説明】
【０１００】
１              コネクタ
２Ａ，２Ｂ      ケーブル
３Ａ，３Ｂ      端子
１０            ハウジング
１０Ａ          （ハウジングの）後端部（軸方向基端側）
１１            端子保持体
１２            防水シール
１３            キャップ
１９            内側押圧凸部
２４            係止凸部（係止部）
３２Ａ，３２Ｂ  端子嵌合溝
３５            外側押圧凸部
３６            突起嵌合凹部
４１Ａ，４１Ｂ  シール側貫通穴
４３            突起用貫通穴
４５            姿勢決め穴
５２            係止内側凸部（被係合部）
５３            係止凹部（被係合部）
５４            ロック確認窓
５５Ａ，５５Ｂ  キャップ側貫通穴
５６Ａ，５６Ｂ  接触凸部
５７            突起部
５７Ａ          突起本体
５７Ｂ          嵌合先端部
５７Ｃ          当接面
５８            姿勢決め突起部
【図１】
2020149870.tif 000003
【図２】
2020149870.tif 000004
【図３】
2020149870.tif 000005
【図４】
2020149870.tif 000006
【図５】
2020149870.tif 000007
【図６】
2020149870.tif 000008
【図７】
2020149870.tif 000009
【図８】
2020149870.tif 000010
【図９】
2020149870.tif 000011
【図１０】
2020149870.tif 000012
【図１１】
2020149870.tif 000013
【図１２】
2020149870.tif 000014
【図１３】
2020149870.tif 000015
【図１４】
2020149870.tif 000016